(57)【要約】【課題】平坦でない場所に太陽電池モジュールを容易に設置可能である保持部の耐久性および生産性を向上させる。【解決手段】太陽電池装置は、基台部上で太陽電池モジュールを保持している保持部を備える。太陽電池モジュールは、裏面と前面と角部を成している第１端面および第２端面を含む４つ以上の端面とを有する。保持部は、基台部に支持されたベース部とクランプ部と受け部と連結部とを有する。クランプ部は、太陽電池モジュールの前面の第１端面側の部分をベース部に向けて押圧している状態にある。受け部の板状の曲がり部は、ベース部の設置対象部に向いた被当接部分に当接し、被当接部分に向けて凸状に湾曲あるいは段階的に曲がっている状態にある。連結部は、クランプ部と受け部とを連結している状態にある。ベース部の設置対象部から離れる方向に突出している突出部分は、太陽電池モジュールの裏面の第２端面側の部分を支持している状態にある。【選択図】図４
2019068579.tif 000002
【特許請求の範囲】
【請求項１】
設置対象部の上に存在している基台部と、
１以上の太陽電池モジュールと、
前記基台部の上において、前記１以上の太陽電池モジュールのうちの第１太陽電池モジュールを保持している状態で位置している保持部と、を備え、
前記第１太陽電池モジュールは、前記設置対象部に対向している状態で位置している第１裏面と、該第１裏面とは逆方向を向いている状態で位置している第１前面と、該第１前面を平面視した場合に第１角部を形成している状態で位置している第１端面および第２端面を含む４つ以上の端面と、を有し、
前記保持部は、
前記基台部に支持されている状態で位置しているベース部と、
前記第１太陽電池モジュールの前記第１前面のうちの前記第１端面側の部分を前記ベース部に向けて押圧している状態で位置しているクランプ部と、
前記ベース部のうちの前記設置対象部に対向している状態で位置している被当接部分に当接しているとともに、前記第２端面の法線に沿った方向に平面視した場合に前記被当接部分に向けて凸状となるように湾曲あるいは段階的に曲がっている状態で位置している曲がり部分を有している板状の当接部分を含んでいるクランプ受け部と、
前記クランプ部と前記クランプ受け部とを連結している状態で位置している連結部と、を有し、
前記ベース部は、前記第１太陽電池モジュールの前記第１裏面のうちの前記第２端面側の部分を支持しているとともに、前記設置対象部から離れる方向に突出している状態で位置している突出部分を有している、太陽電池装置。
【請求項２】
請求項１に記載の太陽電池装置であって、
前記基台部は、前記設置対象部の上に立っている状態で位置している柱状部材を含む、太陽電池装置。
【請求項３】
請求項１または請求項２に記載の太陽電池装置であって、
各前記太陽電池モジュールは、太陽電池パネルと、該太陽電池パネルの外周部に沿って位置しているフレーム部と、を有し、
前記クランプ部は、前記第１太陽電池モジュールの前記フレーム部における前記第１端面側の部分を前記ベース部に向けて押圧している状態で位置しており、
前記突出部分は、前記第１太陽電池モジュールの前記フレーム部における前記第２端面側の部分を支持している状態で位置している、太陽電池装置。
【請求項４】
請求項１から請求項３の何れか１つの請求項に記載の太陽電池装置であって、
前記突出部分は、前記設置対象部に向けて平面透視した場合に、前記第２端面に交差している交差方向に沿って位置している、太陽電池装置。
【請求項５】
請求項１から請求項４の何れか１つの請求項に記載の太陽電池装置であって、
前記曲がり部分は、板状部材の厚さ方向に垂直な面が前記被当接部分に向けて凸状に曲がっている状態で位置している部分、を含んでいる、太陽電池装置。
【請求項６】
請求項１から請求項４の何れか１つの請求項に記載の太陽電池装置であって、
前記クランプ受け部は、長手方向の第１端部側において鉤状に屈曲している状態で位置している鉤状部分と、前記長手方向の前記第１端部とは逆側の第２端部側において前記クランプ部が前記連結部によって連結されている状態で位置している被連結部分と、を有する帯状部材を含み、
前記鉤状部分は、前記被当接部分を含み、
前記曲がり部分は、前記鉤状部分において前記被当接部分に向けて凸状となるように湾曲または段階的に曲がっている状態で位置している先端面を含んでいる、太陽電池装置。
【請求項７】
請求項６に記載の太陽電池装置であって、
前記ベース部は、前記突出部分よりも前記設置対象部の近くにおいて、前記設置対象部に向かう方向に沿って位置しており且つ前記第２端面の前記法線方向に貫通している状態で位置している孔部を有する板状の被係合部分、を含み、
前記鉤状部分が、前記孔部に挿通しており且つ該孔部に係合している状態で位置している、太陽電池装置。
【請求項８】
請求項１から請求項７の何れか１つの請求項に記載の太陽電池装置であって、
前記１以上の太陽電池モジュールは、前記設置対象部に向かって平面視した場合に、前記保持部を間に挟んで前記第１太陽電池モジュールと隣り合っている状態で位置している第２太陽電池モジュールを含み、
該第２太陽電池モジュールは、前記設置対象部に対向している状態で位置している第２裏面と、該第２裏面とは逆方向を向いている状態で位置している第２前面と、該第２前面を平面視した場合に第２角部を形成している状態で位置している第３端面および第４端面を含む４つ以上の端面と、を有し、
前記ベース部は、前記第１太陽電池モジュールの前記第１裏面のうちの前記第２端面側の部分を支持しているとともに前記設置対象部から離れる方向に突出している状態で位置している第１突出部分と、前記第２太陽電池モジュールの前記第２裏面のうちの前記第４端面側の部分を支持しているとともに前記設置対象部から離れる方向に突出している状態で位置している第２突出部分と、を有し、
前記クランプ部は、前記第２太陽電池モジュールの前記第２前面のうちの前記第３端面側の部分を前記ベース部に向けて押圧している状態で位置している、太陽電池装置。
【請求項９】
請求項１から請求項８の何れか１つの請求項に記載の太陽電池装置であって、
前記クランプ部が、前記第１太陽電池モジュールを前記ベース部に向けて押し付けている状態で位置している押圧部分、を有し、
該押圧部分は、前記第１太陽電池モジュールに向けて凸状となるように湾曲あるいは段階的に曲がっている状態で位置している部分を有している、太陽電池装置。
【請求項１０】
設置対象部上に位置している基台部に支持されている状態で位置しているベース部と、
太陽電池モジュールにおける前記設置対象部に対向している状態で位置している裏面とは逆方向に向いている前面のうちの第１端面側の部分を前記ベース部に向けて押圧している状態で位置しているクランプ部と、
前記ベース部のうちの前記設置対象部に対向している状態で位置している被当接部分に当接しているとともに、前記太陽電池モジュールのうちの前記前面を平面視した場合に前記第１端面と角部を形成している第２端面の法線に沿った方向に平面視した場合に前記被当接部分に向けて凸状となるように湾曲あるいは段階的に曲がっている状態で位置している曲がり部分を有している板状の当接部分を含んでいるクランプ受け部と、
前記クランプ部と前記クランプ受け部とを連結している状態で位置している連結部と、を有し、
前記太陽電池モジュールは、前記前面を平面視した場合に、前記第１端面および前記第２端面を含む４つ以上の端面を有し、
前記ベース部は、前記太陽電池モジュールの前記裏面のうちの前記第２端面側の部分を支持しているとともに、前記設置対象部から離れる方向に突出している状態で位置している突出部分を有している、太陽電池モジュール用保持具。
【発明の詳細な説明】
【技術分野】
【０００１】
本開示は、太陽電池装置および太陽電池モジュール用保持具に関する。
【背景技術】
【０００２】
近年、環境保護の機運の高まりに伴って、環境負荷の少ない太陽光発電が注目されている。この太陽光発電の普及の一形態として、多数の太陽電池モジュールが配列された大規模な太陽光発電所の建設が進められている。
【０００３】
しかしながら、平坦な遊休地は限られている。このため、山間および斜面などの起伏を有する土地に、太陽光発電所を建設することが考えられる。この場合、平坦でない場所に太陽電池モジュールを設置する技術が必要となる。
【０００４】
そこで、太陽電池モジュールが載置される架台において、柱の高さを適宜調整するとともに、太陽電池モジュールの角度を調整することが可能な支持構造を有する太陽電池装置が提案されている（例えば、下記の特許文献１の記載を参照）。
【先行技術文献】
【特許文献】
【０００５】
【特許文献１】特開２００３−１８４２３５号公報
【発明の概要】
【発明が解決しようとする課題】
【０００６】
平坦でない場所に設置可能な太陽電池装置については、太陽電池モジュールを保持する保持部の耐久性および生産性を向上させる点で改善の余地がある。
【課題を解決するための手段】
【０００７】
太陽電池装置および太陽電池モジュール用保持具が開示される。
【０００８】
太陽電池装置の一態様は、基台部と、１以上の太陽電池モジュールと、保持部と、を備えている。前記基台部は、設置対象部の上に存在している。前記保持部は、前記基台部の上において、前記１以上の太陽電池モジュールのうちの第１太陽電池モジュールを保持している状態で位置している。前記第１太陽電池モジュールは、前記設置対象部に対向している状態で位置している第１裏面と、該第１裏面とは逆方向を向いている状態で位置している第１前面と、該第１前面を平面視した場合に第１角部を形成している状態で位置している第１端面および第２端面を含む４つ以上の端面と、を有している。前記保持部は、ベース部と、クランプ部と、クランプ受け部と、連結部と、を有している。前記ベース部は、前記基台部に支持されている状態で位置している。前記クランプ部は、前記第１太陽電池モジュールの前記第１前面のうちの前記第１端面側の部分を前記ベース部に向けて押圧している状態で位置している。前記クランプ受け部は、前記ベース部のうちの前記設置対象部に対向している状態で位置している被当接部分に当接している。前記クランプ受け部は、前記第２端面の法線に沿った方向に平面視した場合に、前記被当接部分に向けて凸状となるように湾曲あるいは段階的に曲がっている状態で位置している曲がり部分を有している板状の当接部分を含んでいる。前記連結部は、前記クランプ部と前記クランプ受け部とを連結している状態で位置している。前記ベース部は、突出部分を有している。該突出部分は、前記第１太陽電池モジュールの前記第１裏面のうちの前記第２端面側の部分を支持しているとともに、前記設置対象部から離れる方向に突出している状態で位置している。
【０００９】
太陽電池モジュール用保持具の一態様は、ベース部と、クランプ部と、クランプ受け部と、連結部と、を有している。前記ベース部は、設置対象部上に位置している基台部に支持されている状態で位置している。前記クランプ部は、太陽電池モジュールにおける前記設置対象部に対向している状態で位置している裏面とは逆方向に向いている前面のうちの第１端面側の部分を前記ベース部に向けて押圧している状態で位置している。前記クランプ受け部は、前記ベース部のうちの前記設置対象部に対向している状態で位置している被当接部分に当接しているとともに、前記太陽電池モジュールのうちの前記前面を平面視した場合に前記第１端面と角部を形成している第２端面の法線に沿った方向に平面視した場合に前記被当接部分に向けて凸状となるように湾曲あるいは段階的に曲がっている状態で位置している曲がり部分を有している板状の当接部分を含んでいる。前記連結部は、前記クランプ部と前記クランプ受け部とを連結している状態で位置している。前記太陽電池モジュールは、前記前面を平面視した場合に、前記第１端面および前記第２端面を含む４つ以上の端面を有している。前記ベース部は、前記太陽電池モジュールの前記裏面のうちの前記第２端面側の部分を支持しているとともに、前記設置対象部から離れる方向に突出している状態で位置している突出部分を有している。
【発明の効果】
【００１０】
上記太陽電池装置および上記太陽電池モジュール用保持具は、例えば、太陽電池モジュールを平坦でない場所に容易に設置可能であり、太陽電池モジュールを保持する保持部の耐久性および生産性を向上させることができる。
【図面の簡単な説明】
【００１１】
【図１】図１は、第１実施形態に係る太陽電池装置の一例を側方から見た側面図である。
【図２】図２は、第１実施形態に係る太陽電池装置の一例を前面側から見た上面図である。
【図３】図３（ａ）は、太陽電池モジュールの一例の前面側の外観を示す平面図である。図３（ｂ）は、図３（ａ）のIIIb−IIIb線に沿った太陽電池モジュールの切断面の一例を示す端面図である。
【図４】図４は、図１のIV部における保持部の一例の構成を示す分解斜視図である。
【図５】図５は、保持部による太陽電池モジュールの保持態様の一例を示す側面図である。
【図６】図６は、図４のクランプ受け部の一例の構成を示す拡大斜視図である。
【図７】図７は、保持部による太陽電池モジュールの保持態様の他の一例を示す側面図である。
【図８】図８は、保持部による太陽電池モジュールの保持態様の他の一例を示す側面図である。
【図９】図９は、第２実施形態に係るクランプ受け部の一例の構成を示す斜視図である。
【図１０】図１０は、第３実施形態に係る太陽電池装置のうちの図１のIV部に対応する部分における保持部の一例の構成を示す分解斜視図である。
【図１１】図１１は、図１０のクランプ受け部の一例の構成を示す拡大斜視図である。
【図１２】図１２は、第３実施形態に係る太陽電池装置のうちの図１のIV部に対応する部分における保持部の一例の構成を模式的に示す斜視図である。
【図１３】図１３は、第４実施形態に係る保持部の一例の構成を示す側面図である。
【図１４】図１４は、第５実施形態に係る太陽電池装置の一例を側方から見た側面図である。
【図１５】図１５は、図１４のXV部における保持部の一例の構成を示す分解斜視図である。
【図１６】図１６は、第６実施形態に係るベース部の一例を示す斜視図である。
【図１７】図１７は、第７実施形態に係るクランプ受け部の一例の構成を示す斜視図である。
【発明を実施するための形態】
【００１２】
近年、多数の太陽電池モジュールが配列された大規模な太陽光発電所の建設が各地で進められている。ところが、太陽光発電所の建設に適した平坦な遊休地は限られている。このため、山間および斜面などの起伏を有する土地に、太陽光発電所を建設することが考えられる。
【００１３】
そこで、平坦でない場所に太陽電池モジュールを設置する技術が必要となる。ここで、例えば、太陽電池モジュールが載置される架台において柱の高さが調整可能であり、太陽電池モジュールの角度が球面ジョイントで調整可能である支持構造を有する太陽電池装置が考えられる。
【００１４】
しかしながら、球面ジョイントについては、がたつきおよび破損が生じ易く、製造も容易でない。
【００１５】
したがって、平坦でない場所に設置可能な太陽電池装置については、太陽電池モジュールを保持する保持部の耐久性および生産性を向上させる点で改善の余地がある。
【００１６】
そこで、本願発明者らは、太陽電池装置を平坦でない場所に容易に設置可能であり、太陽電池モジュールを保持する保持部の耐久性および生産性を向上させることができる技術を創出した。
【００１７】
これについて、以下、各種実施形態を図面に基づいて説明する。図面においては同様な構成および機能を有する部分に同じ符号が付されており、下記説明では重複説明が省略される。図面は模式的に示されたものである。図１から図１７には、右手系のＸＹＺ座標系が付されている。このＸＹＺ座標系では、太陽電池装置１００が設置されている設置対象部としての起伏を有する地面に沿って、複数の太陽電池モジュールが並んでいる第１方向が＋Ｘ方向とされている。また、このＸＹＺ座標系では、第１方向に直交し且つ太陽電池モジュールの列が並んでいる第２方向が＋Ｙ方向とされている。さらに、このＸＹＺ座標系では、＋Ｘ方向と＋Ｙ方向との両方に直交する第３方向が＋Ｚ方向とされている。
【００１８】
＜１．第１実施形態＞
図１および図２で示されるように、第１実施形態に係る太陽電池装置１００は、例えば、設置対象部Ｇ０の上に位置している。設置対象部Ｇ０としては、例えば、平坦でない面が採用される。平坦でない面としては、例えば、山間および斜面などの起伏を有する土地などが考えられる。以下、第１実施形態に係る太陽電池装置１００について、図１から図８に基づいて説明する。
【００１９】
＜１−１．太陽電池装置の概略的な構成＞
図１および図２で示されるように、太陽電池装置１００は、例えば、複数の基台部Ｂ１と、複数の太陽電池モジュールＭ１と、複数の保持部１と、を備えている。
【００２０】
複数の基台部Ｂ１は、設置対象部Ｇ０の上に存在している。各基台部Ｂ１には、例えば、設置対象部Ｇ０の上に立っている状態で位置している柱状の部材（柱状部材ともいう）が適用される。この場合には、例えば、太陽電池モジュールＭ１を設置対象部Ｇ０からある程度を離して位置させることが容易に可能である。このため、例えば、設置対象部Ｇ０に草木などの障害物が生じても、太陽電池モジュールＭ１への光の入射が遮られにくい。図１の例では、柱状部材の一部が地中に埋められることで、設置対象部Ｇ０の上に基台部Ｂ１が立っている状態となっている。ここで、例えば、設置対象物Ｇ０上にコンクリートなどの基礎部が位置し、この基礎部に柱状部材の一部が埋められてもよい。このとき、各基台部Ｂ１は、基礎部と柱状部材とによって構成され得る。
【００２１】
複数の太陽電池モジュールＭ１は、設置対象部Ｇ０に沿って並んでいる状態で位置している。図１および図２の例では、＋Ｘ方向に沿って２以上の太陽電池モジュールＭ１が並んでおり、＋Ｙ方向に沿って２以上の太陽電池モジュールＭ１が並んでいる。換言すれば、複数の太陽電池モジュールＭ１は、例えば、設置対象部Ｇ０に沿って、マトリックス状に並んでいる状態で位置している。
【００２２】
各保持部１は、基台部Ｂ１の上に位置している。この保持部１は、太陽電池モジュールＭ１を保持している状態で位置している。換言すれば、保持部１は、太陽電池モジュール１を保持するための保持具（太陽電池モジュール用保持具ともいう）としての役割を有している。各保持部１は、複数の太陽電池モジュールＭ１の間に位置し、これらの複数の太陽電池モジュールＭ１を保持している状態で位置している。図１および図２の例では、１つの保持部１が、４つの太陽電池モジュールＭ１の間に位置しており、これらの４つの太陽電池モジュールＭ１を保持している状態で位置している。別の観点から言えば、図１および図２の例では、各太陽電池モジュールＭ１は、４つの保持部１によって挟まれるように保持されている。
【００２３】
ここで、図１および図２で示されるように、複数の太陽電池モジュールＭ１は、設置対象部Ｇ０に向かって平面視した場合に、保持部１を間に挟んで隣り合っている状態で位置している、第１太陽電池モジュールＭ１１と第２太陽電池モジュールＭ１２とを含む。図１および図２の例では、±Ｘ方向において隣り合っている２つの太陽電池モジュールＭ１には、＋Ｘ方向の側に位置している第１太陽電池モジュールＭ１１と、−Ｘ方向の側に位置している第２太陽電池モジュールＭ１２と、が含まれている。
【００２４】
また、例えば、太陽電池装置１００のＸＹ平面に沿った端の部分では、１つの保持部１が、１つの太陽電池モジュールＭ１あるいは２つの太陽電池モジュールＭ１を保持している状態となっている。
【００２５】
＜１−１−１．太陽電池モジュール＞
図３（ａ）および図３（ｂ）で示されるように、各太陽電池モジュールＭ１は、設置対象部Ｇ０に対向している状態で位置している面（裏面ともいう）Ｓｆ１と、この裏面とは逆方向を向いている状態で位置している面（前面ともいう）Ｓｆ２と、を有している。ここで、前面Ｓｆ２は、例えば、主として光を受光する受光面としての役割を有する。
【００２６】
また、各太陽電池モジュールＭ１は、外周部を構成する複数の端面１Ｅを有している。図３（ａ）および図３（ｂ）の例では、複数の端面１Ｅには、４つの端面１Ｅ１，１Ｅ２，１Ｅ３，１Ｅ４が含まれている。端面１Ｅ１は、−Ｘ方向を向いている状態で位置している。端面１Ｅ２は、−Ｙ方向を向いている状態で位置している。端面１Ｅ３は、＋Ｘ方向を向いている状態で位置している。端面１Ｅ４は、＋Ｙ方向を向いている状態で位置している。換言すれば、裏面Ｓｆ１および前面Ｓｆ２は、それぞれ平面視して矩形状の外形を有している。ここで、例えば、第１太陽電池モジュールＭ１１における前面Ｓｆ２（第１前面Ｓｆ２１ともいう）あるいは裏面Ｓｆ１（第１裏面Ｓｆ１１ともいう）を平面視した場合には、第１端面としての端面１Ｅ１と第２端面としての端面１Ｅ２とが第１角部Ｃｎ１を形成している状態で位置している。また、例えば、第２太陽電池モジュールＭ１２における前面Ｓｆ２（第２前面Ｓｆ２２ともいう）あるいは裏面Ｓｆ１（第２裏面Ｓｆ１２ともいう）を平面視した場合には、第３端面としての端面１Ｅ３と第４端面としての端面１Ｅ２とが第２角部Ｃｎ２を形成している状態で位置している。
【００２７】
各太陽電池モジュールＭ１は、例えば、太陽電池パネルＰｎ１と、この太陽電池パネルＰｎ１の外縁部を補強している状態で位置しているフレーム部Ｆ１と、端子ボックスＪｂ１と、を有している。太陽電池パネルＰｎ１は、電気的に接続された複数の太陽電池素子Ｃ１を有する１枚の板状の部分である。この太陽電池パネルＰｎ１は、例えば、裏面Ｓｆ１側から順に、裏面保護部材Ｐｒ１と、第１封止材Ｓｅ１と、光電変換部Ｐｃ１と、第２封止材Ｓｅ２と、前面保護部材Ｐｒ２と、を有している。
【００２８】
裏面保護部材Ｐｒ１は、例えば、光電変換部Ｐｃ１の裏面Ｓｆ１側に位置している。ここでは、裏面保護部材Ｐｒ１の−Ｚ方向の側の表面が裏面Ｓｆ１を構成している。裏面保護部材Ｐｒ１は、例えば、光電変換部Ｐｃ１を保護する役割と、光電変換部Ｐｃ１を封止する役割と、を有している。裏面保護部材Ｐｒ１は、透光性を有していてもよいし、透光性を有していなくてもよい。裏面保護部材Ｐｒ１には、例えば、柔軟性を有するシート状の部材（シート部材ともいう）あるいは板状の部材などが適用される。シート部材の素材には、例えば、樹脂が適用される。板状の部材の素材には、例えば、ガラスあるいはアクリルまたはポリカーボネートなどの樹脂が適用される。この場合には、透光性を有する裏面保護部材Ｐｒ１が実現され得る。ここで、ガラスには、例えば、厚さが２ｍｍから５ｍｍ程度の白板ガラス、強化ガラスまたは熱線反射ガラスなどの光透過率の高い材料が採用される。裏面保護部材Ｐｒ１の形状には、例えば、平板状などの板状の形状が採用される。
【００２９】
第１封止材Ｓｅ１は、例えば、裏面保護部材Ｐｒ１と光電変換部Ｐｃ１との間に位置している。例えば、この第１封止材Ｓｅ１は、裏面保護部材Ｐｒ１と光電変換部Ｐｃ１との間に充填されている状態で位置している。これにより、光電変換部Ｐｃ１は、裏面保護部材Ｐｒ１側から第１封止材Ｓｅ１によって封止されている状態で位置している。第１封止材Ｓｅ１は、裏面保護部材Ｐｒ１と同様に、透光性を有していてもよいし、透光性を有していなくてもよい。第１封止材Ｓｅ１の素材には、例えば、熱硬化性樹脂などが採用される。熱硬化性樹脂には、例えば、エチレン酢酸ビニル共重合体（ＥＶＡ）あるいはポリビニルブチラール（ＰＶＢ）を主成分とするものが含まれる。熱硬化性樹脂には、架橋剤が含有されていてもよい。ここで、主成分とは、含有される比率（含有率ともいう）が最も大きい（高い）成分のことを意味する。
【００３０】
光電変換部Ｐｃ１は、例えば、複数の太陽電池素子Ｃ１と、複数の第１配線材Ｗ１と、複数の第２配線材Ｗ２と、を有している。図３（ａ）および図３（ｂ）の例では、光電変換部Ｐｃ１では、例えば、複数の太陽電池素子Ｃ１は、２次元的に並んでいる状態で位置している。具体的には、光電変換部Ｐｃ１には、例えば、複数（ここでは６つ）の太陽電池ストリングＳ１が含まれている。各太陽電池ストリングＳ１は、例えば、複数（ここでは、１０個）の太陽電池素子Ｃ１と、複数の第１配線材Ｗ１と、を含む。複数の第１配線材Ｗ１は、例えば、複数の太陽電池素子Ｃ１のうちの相互に隣り合う太陽電池素子Ｃ１の間をそれぞれ電気的に接続している状態で位置している。複数の第２配線材Ｗ２は、複数の太陽電池ストリングＳ１のうちの相互に隣り合う太陽電池ストリングＳ１の間をそれぞれ電気的に接続している状態で位置している。
【００３１】
第２封止材Ｓｅ２は、例えば、光電変換部Ｐｃ１と前面保護部材Ｐｒ２との間に位置している。例えば、この第２封止材Ｓｅ２は、光電変換部Ｐｃ１と前面保護部材Ｐｒ２との間に充填されている状態で位置している。これにより、光電変換部Ｐｃ１は、前面保護部材Ｐｒ２側から第２封止材Ｓｅ２によって封止されている状態で位置している。換言すれば、光電変換部Ｐｃ１は、この光電変換部Ｐｃ１を挟み込むように覆っている第１封止材Ｓｅ１と第２封止材Ｓｅ２とによって封止されている。第２封止材Ｓｅ２は、透光性を有している。第２封止材Ｓｅ２の素材には、例えば、ＥＶＡあるいはＰＶＢなどを主成分とする熱硬化性樹脂などが適用される。熱硬化性樹脂には、架橋剤が含有されていてもよい。
【００３２】
前面保護部材Ｐｒ２は、例えば、光電変換部Ｐｃ１の前面Ｓｆ２側に位置している。ここでは、前面保護部材Ｐｒ２の＋Ｚ方向の側の表面が前面Ｓｆ２を構成している。前面保護部材Ｐｒ２は、例えば、光電変換部Ｐｃ１を保護する役割と、光電変換部Ｐｃ１を封止する役割と、を有している。前面保護部材Ｐｒ２は、透光性を有している。前面保護部材Ｐｒ２には、例えば、板状の部材などが適用される。板状の部材の素材には、例えば、ガラスあるいはアクリルまたはポリカーボネートなどの樹脂が適用される。ここで、ガラスには、例えば、厚さが２ｍｍから５ｍｍ程度の白板ガラス、強化ガラスまたは熱線反射ガラスなどの光透過率の高い材料が採用される。裏面保護部材Ｐｒ１の形状には、例えば、平板状などの板状の形状が採用される。
【００３３】
端子ボックスＪｂ１は、光電変換部Ｐｃ１で得られた出力を外部に取り出すことができる。端子ボックスＪｂ１は、例えば、裏面Ｓｆ１上に位置している。端子ボックスＪｂ１は、例えば、シリコンシーラントなどの樹脂によって裏面Ｓｆ１に固定されている状態で位置している。端子ボックスＪｂ１は、例えば、箱体と、端子板と、ケーブルと、を有している。箱体の素材には、例えば、変性ポリフェニレンエーテル樹脂（変性ＰＰＥ樹脂）またはポリフェニレンオキサイド樹脂（ＰＰＯ樹脂）などが適用される。端子板は、箱体内に位置しており、光電変換部Ｐｃ１の第２配線材Ｗ２が接続されている状態で位置している。ケーブルは、箱体の外部へ電力を導出することができる。
【００３４】
フレーム部Ｆ１は、太陽電池パネルＰｎ１を保持する機能を有する。フレーム部Ｆ１は、例えば、太陽電池パネルＰｎ１が嵌合することが可能な構造を有している。フレーム部Ｆ１は、太陽光を受光する側に位置するフレーム上面と、このフレーム上面の裏面側に位置するフレーム下面と、フレーム上面とフレーム下面とを接続しているフレーム側面と、を有している。図３（ａ）および図３（ｂ）の例では、フレーム部Ｆ１は、締結などで相互に連結されている状態で位置している４つのフレーム部分Ｆ１１，Ｆ１２，Ｆ１３，Ｆ１４を有している。フレーム部分Ｆ１１は、端面１Ｅ１を構成している。フレーム部分Ｆ１２は、端面１Ｅ２を構成している。フレーム部分Ｆ１３は、端面１Ｅ３を構成している。フレーム部分Ｆ１４は、端面１Ｅ４を構成している。各フレーム部分Ｆ１１，Ｆ１２，Ｆ１３，Ｆ１４は、例えば、アルミニウムの押し出し成形などで作製され得る。
【００３５】
＜１−１−２．保持部＞
保持部１は、ベース部２と、クランプ受け部３と、クランプ部４と、連結部５と、を有している。
【００３６】
ベース部２は、基台部Ｂ１に支持されている状態で位置している。図４および図５で示されるように、ベース部２は、例えば、第１部分２１と、第２部分２２と、第３部分２３と、を有している。例えば、第１部分２１、第２部分２２および第３部分２３が、一体の板状の部材によって構成され得る。この場合には、ベース部２は、例えば、金属製の板材に対するプレス加工などで形成され得る。
【００３７】
第１部分２１は、ベース部２の基準となる部分（基準部分ともいう）である。図４および図５の例では、第１部分２１は、ＸＹ平面に沿った平板状の形状を有している。第１部分２１は、例えば、＋Ｚ方向に貫通しており、連結部５のボルトＢＬ３が挿通されている状態で位置している孔部２ｈ１を有している。ここでは、孔部２ｈ１として、＋Ｘ方向に沿って長手方向を有する長孔が採用されている。
【００３８】
第２部分２２は、基台部Ｂ１に支持されている部分（被支持部分ともいう）である。図４および図５の例では、第２部分２２は、第１部分２１の＋Ｙ方向の側の端部からＸＺ平面に沿って垂下している状態で位置している平板状の部分である。第２部分２２は、例えば、基台部Ｂ１に対して連結されている状態で位置していることで、この基台部Ｂ１によって支持されている状態で位置している。図４の例では、基台部Ｂ１の＋Ｚ方向の側の部分を＋Ｙ方向に貫通している孔部Ｈ１ａ，Ｈ２ａと、第２部分２２を＋Ｙ方向に貫通している孔部Ｈ１ｂ，Ｈ２ｂと、が連通している状態で、締結部Ｆｓ１によって、基台部Ｂ１と第２部分２２とが連結されている状態で位置している。締結部Ｆｓ１には、例えば、雄ネジ部分を有するボルトＢＬ１，ＢＬ２と、雌ネジ部分を有するナットＮｕ１，Ｎｕ２と、が含まれている。ここでは、基台部Ｂ１の孔部Ｈ１ａと第２部分２２の孔部Ｈ１ｂとに挿通している状態で位置しているボルトＢＬ１の雄ネジ部分と、ナットＮｕ１の雌ネジ部分とが嵌まり合っている状態で位置している。また、基台部Ｂ１の孔部Ｈ２ａと第２部分２２の孔部Ｈ２ｂとに挿通している状態で位置しているボルトＢＬ２の雄ネジ部分と、ナットＮｕ２の雌ネジ部分とが嵌まり合っている状態で位置している。
【００３９】
第３部分２３は、設置対象部Ｇ０から離れる方向に突出している状態で位置している部分（突出部分ともいう）である。図４および図５の例では、ベース部２には、第１突出部分である第３Ａ部分２３１と、第２突出部分である第３Ｂ部分２３２と、が存在している。第３Ａ部分２３１は、第１部分２１の＋Ｘ方向の端部から＋Ｚ方向に沿って突出している状態で位置している部分である。第３Ｂ部分２３２は、第１部分２１の−Ｘ方向の端部から＋Ｚ方向に沿って突出している状態で位置している部分である。図５で示されるように、第３部分２３は、例えば、太陽電池モジュールＭ１の裏面Ｓｆ１のうちの第２端面としての端面１Ｅ２側の部分を支持している状態で位置している。
【００４０】
図４および図５の例では、第３部分２３に含まれる第３Ａ部分２３１は、第１太陽電池モジュールＭ１１のフレーム部Ｆ１における第２端面としての端面１Ｅ２側の部分を構成しているフレーム部Ｆ１２を支持している状態で位置している。換言すれば、第３Ａ部分２３１の＋Ｚ方向の先端部分が、第１太陽電池モジュールＭ１１の裏面Ｓｆ１（第１裏面Ｓｆ１１）のうちの第２端面としての端面１Ｅ２側の部分を支持している状態で位置している。また、第３部分２３に含まれる第３Ｂ部分２３２は、第２太陽電池モジュールＭ１２のフレーム部Ｆ１における第４端面としての端面１Ｅ２側の部分を構成しているフレーム部Ｆ１２を支持している状態で位置している。換言すれば、第３Ｂ部分２３２の＋Ｚ方向の先端部分が、第２太陽電池モジュールＭ１２の裏面Ｓｆ１（第２裏面Ｓｆ１２）のうちの第４端面としての端面１Ｅ２側の部分を支持している状態で位置している。
【００４１】
ここで、例えば、突出部分としての第３部分２３が、太陽電池モジュールＭ１の第２端面としての端面１Ｅ２に直交している＋Ｙ方向に沿って位置していれば、ベース部２に対する太陽電池モジュールＭ１の配置が容易である。また、例えば、太陽電池モジュールＭ１がより安定して保持され得る。
【００４２】
クランプ受け部３は、連結部５によってクランプ部４と連結されている状態で、クランプ部４の姿勢を安定させるための部分である。図４および図５で示されるように、クランプ受け部３は、例えば、ベース部２のうちの設置対象部Ｇ０に対向している状態で位置している部分（被当接部分ともいう）２ｈｔに当接している状態で位置している。このクランプ受け部３は、図４から図６で示されるように、第２端面としての端面１Ｅ２の法線に沿った方向に平面視した場合に、被当接部分２ｈｔに向けて凸状となるように湾曲している状態で位置している部分（曲がり部分ともいう）３２ｔを含む板状の部分（当接部分ともいう）３２を有している。図４から図６の例では、端面１Ｅ２の法線は、±Ｙ方向に沿った方向である。
【００４３】
図４から図６の例では、クランプ受け部３は、連結部５によってクランプ部４と連結されている状態で位置している部分（被連結部分ともいう）３１と、２つの当接部分３２と、を有している。具体的には、被連結部分３１は、ＸＹ平面に沿った板状の部分である。この被連結部分３１は、＋Ｚ方向に貫通するように位置し、連結部５のボルトＢＬ３が挿通されている状態で位置している孔部３ｈを有している。２つの当接部分３２には、被連結部分３１の−Ｙ方向の側の端部から＋Ｚ方向に突出している状態で位置している第１当接部分３２１と、被連結部分３１の＋Ｙ方向の側の端部から＋Ｚ方向に突出している状態で位置している第２当接部分３２２と、が含まれている。そして、第１当接部分３２１は、ベース部２側の先端部分において、ベース部２に向けて凸状となるように湾曲している状態で位置している第１曲がり部分３２ｔ１を有している。第２当接部分３２２は、ベース部２側の先端部分において、ベース部２に向けて凸状となるように湾曲している状態で位置している第２曲がり部分３２ｔ２を有している。ここで、例えば、第１曲がり部分３２ｔ１および第２曲がり部分３２ｔ２には、それぞれＹ軸と平行な仮想線Ｌｎ０を中心とした周方向に沿って湾曲している状態で位置しているような形態が適用され得る。上記構成を有するクランプ受け部３は、例えば、金属製の板材に対するプレス加工などで容易に形成され得る。
【００４４】
クランプ部４は、例えば、図４および図５で示されるように、第１太陽電池モジュールＭ１１の前面Ｓｆ２のうちの第１端面としての端面１Ｅ１側の部分をベース部２に向けて押圧している状態で位置している。具体的には、クランプ部４は、例えば、第１太陽電池モジュールＭ１１のフレーム部Ｆ１における第１端面としての端面１Ｅ１側の部分を構成しているフレーム部Ｆ１１をベース部２に向けて押圧している状態で位置している。このため、クランプ部４とベース部２とによって、第１太陽電池モジュールＭ１１が挟持されている状態にある。換言すれば、太陽電池パネルＰｎ１の外周部に沿って位置しているフレーム部Ｆ１において、第１太陽電池モジュールＭ１１が、ベース部２とクランプ部４とで挟持されている状態で位置している。これにより、太陽電池パネルＰｎ１の割れが生じにくい。
【００４５】
また、クランプ部４は、例えば、図４および図５で示されるように、第２太陽電池モジュールＭ１２の前面Ｓｆ２のうちの第３端面としての端面１Ｅ３側の部分をベース部２に向けて押圧している状態で位置している。具体的には、クランプ部４は、例えば、第２太陽電池モジュールＭ１２のフレーム部Ｆ１における第３端面としての端面１Ｅ３側の部分を構成しているフレーム部Ｆ１３をベース部２に向けて押圧している状態で位置している。このため、クランプ部４とベース部２とによって、第２太陽電池モジュールＭ１２が挟持されている状態にある。換言すれば、太陽電池パネルＰｎ１の外周部に沿って位置しているフレーム部Ｆ１において、第２太陽電池モジュールＭ１２が、ベース部２とクランプ部４とで挟持されている状態で位置している。これにより、太陽電池パネルＰｎ１の割れが生じにくい。そして、第１実施形態では、第１太陽電池モジュールＭ１１および第２太陽電池モジュールＭ１２が、ベース部２とクランプ部４とで挟持されている状態で位置している。このため、１つの保持部１で複数の太陽電池モジュールＭ１が保持され得る。
【００４６】
図４および図５の例では、クランプ部４は、被連結部分４１と、２つの押圧部分４２と、を有している。被連結部分４１は、連結部５によってクランプ受け部３と連結されている状態で位置している部分である。各押圧部分４２は、太陽電池モジュールＭ１をベース部２に向けてそれぞれ押圧している状態で位置している部分である。具体的には、被連結部分４１は、ＸＹ平面に沿った板状の部分である。この被連結部分４１は、＋Ｚ方向に貫通するように位置し、連結部５のボルトＢＬ３が挿通されている状態で位置している孔部４ｈを有している。２つの押圧部分４２には、第１押圧部分４２１と、第２押圧部分４２２と、が含まれている。第１押圧部分４２１は、被連結部分４１の＋Ｘ方向の側の端部から、クランプ受け部３から離れる方向に突出している状態で位置している。第２押圧部分４２２は、被連結部分４１の−Ｘ方向の側の端部から、クランプ受け部３から離れる方向に突出している状態で位置している。ここで、第１押圧部分４２１および第２押圧部分４２２は、それぞれ逆Ｌ字状の断面を有する板状の部分である。
【００４７】
第１押圧部分４２１は、被連結部分４２側から順に、第１板状部分Ｐ１ａと、第２板状部分Ｐ２ａと、を有している。第１板状部分Ｐ１ａは、クランプ受け部３から離れる方向に延びるように位置している。この第１板状部分Ｐ１ａは、第１太陽電池モジュールＭ１１のうちの第１端面としての端面１Ｅ１側の部分のストッパーとして機能し得る。第２板状部分Ｐ２ａは、第１板状部分Ｐ１ａから第１太陽電池モジュールＭ１１の前面Ｓｆ２上にかけて延びるように位置している。この第２板状部分Ｐ２ａは、第１太陽電池モジュールＭ１１の前面Ｓｆ２のうちの第１端面としての端面１Ｅ１側の部分を押圧する機能を有する。このため、第１太陽電池モジュールＭ１１が、ベース部２の第３Ａ部分２３１と、クランプ部４の第２板状部分Ｐ２ａと、によって挟持されている状態で位置している。
【００４８】
第２押圧部分４２２は、被連結部分４２側から順に、第３板状部分Ｐ１ｂと、第４板状部分Ｐ２ｂと、を有している。第３板状部分Ｐ１ｂは、クランプ受け部３から離れる方向に延びるように位置している。この第３板状部分Ｐ１ｂは、第２太陽電池モジュールＭ１２のうちの第３端面としての端面１Ｅ３側の部分のストッパーとして機能し得る。第４板状部分Ｐ２ｂは、第３板状部分Ｐ１ｂから第２太陽電池モジュールＭ１２の前面Ｓｆ２上にかけて延びるように位置している。この第４板状部分Ｐ２ｂは、第２太陽電池モジュールＭ１２の前面Ｓｆ２のうちの第３端面としての端面１Ｅ３側の部分を押圧する機能を有する。このため、第２太陽電池モジュールＭ１２が、ベース部２の第３Ｂ部分２３２と、クランプ部４の第４板状部分Ｐ２ｂと、によって挟持されている状態で位置している。
【００４９】
連結部５は、クランプ受け部３とクランプ部４とを連結している状態で位置している。図４および図５の例では、連結部５は、例えば、雄ネジ部分を有するボルトＢＬ３と、このボルトＢＬ３の雄ネジ部分と嵌まり合っている雌ネジ部分を有するナットＮｕ３と、を含む締結部である。ここでは、クランプ部４の孔部４ｈ、ベース部２の孔部２ｈ１およびクランプ受け部３の孔部３ｈに挿通されているボルトＢＬ３の雄ネジ部分に、ナットＮｕ３の雌ネジ部分が組み合わされている状態で位置している。ここでは、ボルトＢＬ３が挿通されているワッシャーＷｓ３が、クランプ受け部３とネットＮｕ３との間に挟まれている状態にある。そして、太陽電池モジュールＭ１がクランプ部４とベース部２とで挟持されている状態で、クランプ部４と太陽電池モジュールＭ１とベース部２とクランプ受け部３とが、連結部５によって締結されている状態で位置している。
【００５０】
ここで、上記構造を有する保持部１によれば、例えば、連結部５が挿通されている状態にあるベース部２の孔部２ｈ１は、＋Ｘ方向に沿った長手方向を有する長穴であるため、ベース部２に対する連結部５の角度を適宜設定することができる。また、太陽電池モジュールＭ１は、ベース部２の突出部分としての第３部分２３の先端部分で支持されている状態で位置している。このため、第３部分２３の先端部分を支点として、太陽電池モジュールＭ１の角度を適宜設定することができる。そして、例えば、クランプ受け部３は、曲がり部分３２ｔにおいてベース部２に当接している状態で位置している。このため、例えば、図５、図７および図８で示されるように、ベース部２に対するクランプ部４、太陽電池モジュールＭ１およびクランプ受け部３の角度が適宜設定された状態で、クランプ部４とベース部２と太陽電池モジュールＭ１とクランプ受け部３とが、連結部５によって締結され得る。これにより、例えば、太陽電池モジュールＭ１を支持するためのレール状の部材など大型の構成を省略しつつ、設置対象部Ｇ０の起伏に合わせて太陽電池モジュールＭ１を容易に設置することができる。
【００５１】
また、例えば、１つの保持部１で保持されている、隣り合う第１太陽電池モジュールＭ１１および第２太陽電池モジュールＭ１２については、それぞれ独立して角度を設定することができる。具体的には、第３Ａ部分２３１の先端部分を支点として、第１太陽電池モジュールＭ１１の角度を適宜設定することができる。また、第３Ｂ部分２３２の先端部分を支点として、第２太陽電池モジュールＭ１２の角度を適宜設定することができる。これにより、例えば、隣り合う第１太陽電池モジュールＭ１１と第２太陽電池モジュールＭ１２とが谷型（図５参照）および山型（図７参照）の何れの形態を成す場合であっても、１つの保持部１で複数の太陽電池モジュールＭ１を容易に設置することができる。その結果、例えば、１以上の太陽電池モジュールＭ１を平坦でない場所に容易に設置することが可能である。
【００５２】
また、例えば、クランプ受け部３の曲がり部分３２ｔが簡素な板状の部材で構成されているため、クランプ受け部３の耐久性および生産性を向上させることができる。したがって、例えば、１以上の太陽電池モジュールＭ１を平坦でない場所に容易に設置可能であり、１以上の太陽電池モジュールＭ１を保持する保持部１の耐久性および生産性を向上させることができる。
【００５３】
＜１−２．第１実施形態のまとめ＞
第１実施形態に係る太陽電池装置１００では、例えば、ベース部２に対する連結部５の角度が適宜設定され得る。また、例えば、突出部分としての第３部分２３の先端部分を支点として、太陽電池モジュールＭ１の角度が適宜設定され得る。そして、例えば、クランプ受け部３は、曲がり部分３２ｔにおいてベース部２に当接している状態で位置している。このため、例えば、ベース部２に対する任意の角度に設定されたクランプ部４、太陽電池モジュールＭ１およびクランプ受け部３が、ベース部２に対して締結され得る。これにより、例えば、太陽電池モジュールＭ１を支持するためのレール状の部材など大型の構成を省略しつつ、設置対象部Ｇ０の起伏に合わせて太陽電池モジュールＭ１を容易に設置することができる。
【００５４】
そして、例えば、クランプ受け部３の曲がり部分３２ｔが簡素な板状の部材で構成されている。このため、クランプ受け部３の耐久性および生産性が向上され得る。したがって、例えば、１以上の太陽電池モジュールＭ１が平坦でない場所に容易に設置可能であり、１以上の太陽電池モジュールＭ１を保持する保持部１の耐久性および生産性が向上され得る。
【００５５】
また、例えば、隣り合う第１太陽電池モジュールＭ１１と第２太陽電池モジュールＭ１２とが谷型および山型の何れの形態を成す場合でも、１つの保持部１で複数の太陽電池モジュールＭ１が容易に保持され得る。このため、例えば、１以上の太陽電池モジュールＭ１が平坦でない場所に容易に設置され得る。
【００５６】
＜２．他の実施形態＞
本開示は上述の第１実施形態に限定されるものではなく、本開示の要旨を逸脱しない範囲において種々の変更、改良などが可能である。
【００５７】
＜２−１．第２実施形態＞
上記第１実施形態において、例えば、上記クランプ受け部３が、異なる構成を有する第２実施形態に係るクランプ受け部３Ａに置き換えられてもよい。図９で示されるように、板状の部材（板状部材ともいう）自体が曲がっている状態で位置している曲がり部分３２ｔＡを有するクランプ受け部３Ａが採用されてもよい。ここでは、板状部材の厚さ方向に垂直な面（主面ともいう）がベース部２の被当接部分２ｈｔに向けて凸状に曲がっている状態で位置している部分が、曲がり部分３２ｔＡを構成している。このような構成が採用されれば、例えば、クランプ受け部３Ａの曲がり部分３２ｔＡを板状部材のプレス加工などで容易に形成することができる。
【００５８】
図９の例では、クランプ受け部３Ａは、１枚の平板状の第１板状部材３１Ａ１と、他の１枚の曲がり部分３２ｔＡを有する第２板状部材３１Ａ２とが、溶接などの接合で一体化された構成を有している。ここで、例えば、第１板状部材３１Ａ１は、孔部３ｈを有する被連結部分３１としての役割を有する。第２板状部材３１Ａ２は、例えば、ベース部２の被当接部分２ｈｔに向けて凸状となるように湾曲している状態で位置している曲がり部分３２ｔＡをそれぞれ含み、間隙部３ｓＡを間に挟んで位置する２つの板状の当接部分３２Ａを有している。ここでは、２つの当接部分３２Ａは、例えば、−Ｙ方向の側に位置し、上記第１当接部分３２１と同様な機能を有する第１当接部分３２１Ａと、＋Ｙ方向の側に位置し、上記第２当接部分３２２と同様な機能を有する第１当接部分３２２Ａと、を含む。そして、２つの曲がり部分３２ｔＡは、例えば、第１当接部分３２１Ａの第１曲がり部分３２ｔ１Ａと、第２当接部分３２２Ａの第２曲がり部分３２ｔ２Ａと、を含む。第１曲がり部分３２ｔ１Ａおよび第２曲がり部分３２ｔ２Ａは、それぞれＹ軸と平行な仮想線Ｌｎ０を中心とした周方向に沿って湾曲している状態で位置しているような形態を有している。
【００５９】
＜２−２．第３実施形態＞
上記第１実施形態において、例えば、上記保持部１の代わりに、上記保持部１を基本構成として、ベース部２およびクランプ受け部３が、ベース部２Ｂおよびクランプ受け部３Ｂに置換された、保持部１Ｂが採用されてもよい。
【００６０】
具体的には、図１０から図１２で示されるように、クランプ受け部３Ｂは、例えば、板状の当接部分３２としての機能を有する鉤状部分３２Ｂと、被連結部分３１と、を有する帯状の部材（帯状部材ともいう）であってもよい。ここで、鉤状部分３２Ｂは、クランプ受け部３Ｂの長手方向の第１端部３ｅ１Ｂ側において鉤状に屈曲している状態で位置している部分である。被連結部分３１は、クランプ受け部３Ｂの長手方向の第１端部３ｅ１Ｂとは逆側の第２端部３ｅ２Ｂ側においてクランプ部４が連結部５によって連結されている状態で位置している部分である。そして、鉤状部分３２Ｂにおけるベース部２に向けて凸状となるように湾曲している状態で位置している先端面が、曲がり部分３２ｔＢとされてもよい。このような構成が採用されても、クランプ受け部３Ｂが、曲がり部分３２ｔＢにおいてベース部２Ｂの−Ｚ方向に向いた被当接部分２ｈｔに当接している状態で位置していることで、ベース部２Ｂに対するクランプ受け部３Ｂの角度が適宜設定され得る。そして、例えば、帯状の板材の折り曲げ加工などの簡単な工程でクランプ受け部３Ｂが製造され得る。換言すれば、例えば、鋳造および削り出し加工などの煩雑な工程を経ることなく、クランプ受け部３Ｂが製造され得る。したがって、クランプ受け部３Ｂが容易に製造され得る。
【００６１】
図１０から図１２の例では、クランプ受け部３Ｂでは、被連結部分３１の＋Ｙ方向の側の端部にＵ字状の鉤状部分３２Ｂが位置している。具体的には、鉤状部分３２Ｂは、被連結部分３１の側から順に、第１部３２ａＢと、第２部３２ｂＢと、第３部３２ｃＢと、を有している。第１部３２ａＢは、例えば、被連結部分３１の＋Ｙ方向の側の端部から−Ｚ方向に延びるように位置している板状の部分である。第２部３２ｂＢは、第１部３２ａＢの−Ｚ方向の側の端部からＵ字状に曲がるように位置している板状の部分である。第３部３２ｃＢは、第２部３２ｂＢのうちの第１部３２ａＢとは逆側の端部から＋Ｚ方向に延びるように位置している板状の部分である。第３部３２ｃＢは、第１部３２ａＢよりも＋Ｙ方向の側に位置している。第１部３２ａＢと第３部３２ｃＢとの間には間隙３２ｓＢが位置している。第３部３２ｃＢの＋Ｚ方向の先端面が、曲がり部分３２ｔＢとされている。曲がり部分３２ｔＢには、Ｙ軸と平行な仮想線Ｌｎ０を中心とした周方向に沿って湾曲している状態で位置しているような形態が適用され得る。
【００６２】
また、図１０および図１２で示されるように、ベース部２Ｂは、上記第１実施形態に係るベース部２を基本構成として、第１部分２１が、第１部分２１Ｂに置換された構成を有していてもよい。第１部分２１Ｂは、突出部分としての第３部分２３よりも設置対象部Ｇ０の近くにおいて、この設置対象部Ｇ０に向かう方向に沿って位置している第１Ｂ部分２１ｂＢを含んでいる。この第１Ｂ部分２１ｂＢは、第２端面としての端面１Ｅ２の法線に沿った方向（法線方向ともいう）に貫通している状態で位置している孔部２ｈ１Ｂを有している板状の部分（被係合部分ともいう）である。ここで、例えば、クランプ受け部３Ｂの鉤状部分３２Ｂが、孔部２ｈ１Ｂに挿通されており且つこの孔部２ｈ１Ｂに係合している状態で位置していてもよい。このような構成が採用されれば、例えば、クランプ受け部３Ｂが、ベース部２Ｂの孔部２ｈ１Ｂに係合している状態で位置していることで、クランプ受け３Ｂがベース部２Ｂから脱落する不具合が発生しにくい。その結果、太陽電池モジュールＭ１が保持部１Ｂによって安定して保持されやすくなる。
【００６３】
図１０から図１２の例では、第１部分２１Ｂは、第１実施形態に係る第１部分２１を基本構成として、第１部分２１のうち、＋Ｙ方向の側の部分が、第１Ａ部分２１ａＢとされ、−Ｙ方向の側の部分が、第１Ｂ部分２１ｂＢとされている。第１Ａ部２１ａＢは、上記第１部分２１のうちの＋Ｙ方向の側の部分の形態がそのまま維持され且つ被当接部分２ｈｔとしての機能を有する。第１Ｂ部分２１ｂＢは、上記第１部分２１のうちの−Ｙ方向の側の部分が、−Ｚ方向に折り曲げられたような形態を有している。そして、第１Ｂ部分２１ｂＢには、孔部２ｈ１の代わりに、＋Ｙ方向に貫通している孔部２ｈ１Ｂが存在している。ここでは、クランプ受け部３Ｂとクランプ部４Ｂとの間にベース部２Ｂが存在していない。ここで、例えば、鉤状部分３２Ｂが孔部２ｈ１Ｂに係合している状態で位置していれば、ベース部２Ｂとベース受け部３Ｂとの位置関係が安定し得る。ここで、例えば、第１部分２１Ｂの第１Ｂ部分２１ｂＢが省略されてもよい。この場合には、例えば、第１Ａ部２１ａＢの被当接部分２ｈｔとして機能する−Ｚ側の面に、当接部分３２として機能する鉤状部分３２Ｂの先端面の曲がり部分３２ｔＢが当接している状態となる。この場合であっても、ベース部２Ｂとベース受け部３Ｂとの位置関係がある程度安定し得る。
【００６４】
＜２−３．第４実施形態＞
上記各実施形態において、例えば、上記保持部１の代わりに、上記保持部１を基本構成として、クランプ部４が、第４実施形態に係るクランプ部４Ｃに置換された、保持部１Ｃが採用されてもよい。
【００６５】
具体的には、図１３で示されるように、クランプ部４Ｃは、上記第１実施形態に係るクランプ部４を基本構成として、上記押圧部分４２が押圧部分４２Ｃとされてもよい。押圧部分４２Ｃは、太陽電池モジュールＭ１をベース部２に向けて押し付けている状態で位置している部分である。さらに、押圧部分４２Ｃは、太陽電池モジュールＭ１に向けて凸状となるように湾曲あるいは段階的に曲がっている状態で位置している部分（凸状部分ともいう）Ｐ１Ｃを有している。このような構成が採用されれば、例えば、太陽電池モジュールＭ１の角度に関わらず、太陽電池モジュールＭ１が保持部１Ｃによってより安定して保持されやすくなる。
【００６６】
図１３の例では、クランプ部４Ｃには、２つの押圧部分４２Ｃが存在している。２つの押圧部分４２Ｃには、第１押圧部分４２１Ｃと、第２押圧部分４２２Ｃと、が含まれている。第１押圧部分４２１Ｃは、第１太陽電池モジュールＭ１１をベース部２に向けて押し付けている状態で位置している部分である。ここで、第１押圧部分４２１Ｃは、第１太陽電池モジュールＭ１１に向けて凸状の形状を有する第１凸状部分Ｐ１１Ｃを有し、この第１凸状部分Ｐ１１Ｃによって第１太陽電池モジュールＭ１１を押圧している状態で位置している。第２押圧部分４２２Ｃは、第２太陽電池モジュールＭ１２をベース部２に向けて押し付けている状態で位置している部分である。ここで、第２押圧部分４２２Ｃは、第２太陽電池モジュールＭ１２に向けて凸状の形状を有する第２凸状部分Ｐ１２Ｃを有し、この第２凸状部分Ｐ１２Ｃによって第２太陽電池モジュールＭ１２を押圧している状態で位置している。
【００６７】
また、例えば、上記第１実施形態に係る連結部５が、ナットＮｕ４が加えられた連結部５Ｃに変更されてもよい。ここでは、図１３で示されるように、ボルトＢＬ３の雄ネジ部に、ナットＮｕ３の雌ネジ部に加えて、ナットＮｕ４の雌ネジ部が嵌められている状態で位置していてもよい。これにより、いわゆるダブルナットの構成が実現される。このような構成を有する連結部５Ｃでは、ナットＮｕ３の締め付けに加えて、ナットＮｕ４が締め付けられる。これにより、例えば、連結部５Ｃが緩みにくくなる。このため、例えば、クランプ受け部３に対して、クランプ部４Ｃが安定して連結され得る。その結果、太陽電池モジュールが保持部１Ｃによってより安定して保持されやすくなる。
【００６８】
＜２−４．第５実施形態＞
上記各実施形態において、例えば、各保持部１，１Ｂ，１Ｃが、２つの基台部Ｂ１で支持されてもよい。具体的には、例えば、１つの保持部１，１Ｂ，１Ｃを１つの基台部Ｂ１で支持している太陽電池装置１００が、図１４および図１５で示されるように、１つの保持部１Ｄを２つの基台部Ｂ１Ｄで支持している太陽電池装置１００Ｄに変更されてもよい。この場合には、例えば、保持部１Ｄがより安定して支持され得る。その結果、太陽電池モジュールが保持部１Ｄによってより安定して保持されやすくなる。さらに、ここで、例えば、図１４で示されるように、１つの保持部１Ｄが、設置対象部Ｇ０に対して異なる角度で立っている状態の２本の基台部Ｂ１Ｄによって支持されている状態で位置していれば、保持部１Ｄがより安定して支持され得る。図１４および図１５の例では、２本の基台部Ｂ１Ｄには、Ｚ軸に対して上部が−Ｘ方向に倒れる方向に傾斜している基台部Ｂ１１Ｄと、Ｚ軸に対して上部が＋Ｘ方向に倒れる方向に傾斜している基台部Ｂ１２Ｄと、が含まれている。
【００６９】
図１４および図１５には、上記第３実施形態に係る保持部１Ｂを基本構成として、上記ベース部２Ｂがベース部２Ｄに変更され、クランプ受け部３Ｂとクランプ部４とが２組とされた、第５実施形態に係る保持部１Ｄの一例が示されている。ベース部２Ｄは、上記第３実施形態に係るベース部２Ｂを基本構成として、上記第１部分２１Ｂが第１部分２１Ｄに変更されたものである。第１部分２１Ｄは、上記第１部分２１Ｂを基本構成として、第１Ｂ部分２１ｂＢの−Ｚ方向の側の部分に被支持部分Ｓ１ｂＤが加えられ、第２部分２２が第１Ｃ部分２１ｃＤおよび被支持部分Ｓ１ｃＤに置換された構造を有している。
【００７０】
被支持部分Ｓ１ｂＤは、第１Ｂ部分２１ｂＢの−Ｚ方向の側の部分からＸＹ平面に沿って−Ｙ方向に突出している状態で位置している部分である。この被支持部分Ｓ１ｂＤは、＋Ｚ方向に貫通している状態で位置している孔部Ｈ１ｂＤを有する。この孔部Ｈ１ｂＤに基台部Ｂ１１Ｄの上部が挿通された状態で、締結部材などで基台部Ｂ１１Ｄに対して被支持部分Ｓ１ｂＤが連結されている状態で位置している。
【００７１】
また、第１Ｃ部分２１ｃＤおよび被支持部分Ｓ１ｃＤは、第１Ｂ部分２１ｂＢおよび被支持部分Ｓ１ｂＤと同様な構成を有している。ただし、第１Ｃ部分２１ｃＤおよび被支持部分Ｓ１ｃＤと、第１Ｂ部分２１ｂＢおよび被支持部分Ｓ１ｂＤとは、Ｚ軸に平行な仮想線Ｌｎ１を基準として１８０度回転させた回転対称の関係を有している。第１Ｃ部分２１ｃＤは、第１Ａ部分２１ａＢの＋Ｙ方向の端部からＸＺ平面に沿って−Ｚ方向に突出している状態で位置している。第１Ｃ部分２１ｃＤには、＋Ｙ方向に貫通している上記孔部２ｈ１Ｂに対応する孔部２ｈ１Ｄが存在している。被支持部分Ｓ１ｃＤは、第１Ｃ部分２１ｃＤの−Ｚ方向の側の部分からＸＹ平面に沿って＋Ｙ方向に突出している状態で位置している部分である。この被支持部分Ｓ１ｃＤは、＋Ｚ方向に貫通している状態で位置している孔部Ｈ１ｃＤを有する。この孔部Ｈ１ｃＤに基台部Ｂ１２Ｄの上部が挿通された状態で、締結部材などで基台部Ｂ１２Ｄに対して被支持部分Ｓ１ｃＤが連結されている状態で位置している。
【００７２】
また、１対のクランプ受け部３Ｂのうち、−Ｙ方向の側のクランプ受け部３Ｂの鉤状部分３２Ｂが、第１Ｂ部分２１ｂＢの孔部２ｈ１Ｂに挿通しており且つこの孔部２ｈ１Ｂに係合している状態で位置している。１対のクランプ受け部３Ｂのうち、＋Ｙ方向の側のクランプ受け部３Ｂの鉤状部分３２Ｂが、第１Ｃ部分２１ｃＤの孔部２ｈ１Ｄに挿通しており且つこの孔部２ｈ１Ｄに係合している状態で位置している。各クランプ受け部３Ｂにクランプ部４が連結部５によって連結されている状態で位置している。これにより、各クランプ部４が、このクランプ部４の＋Ｘ方向の側に位置している第１太陽電池モジュールＭ１１と、このクランプ部４の−Ｘ方向の側に位置している第２太陽電池モジュールＭ１２と、を押圧している状態で位置している。
【００７３】
＜２−５．第６実施形態＞
上記各実施形態において、例えば、図１６で示されるように、ベース部２，２Ｂ，２Ｄの各第３部分２３における太陽電池モジュールＭ１を支持している状態で位置している部分に、太陽電池モジュールＭ１のフレーム部Ｆ１が嵌まり込むように位置する凹部Ｒｅ１が加えられてもよい。この場合には、例えば、ベース部２，２Ｂ，２Ｄと太陽電池モジュールＭ１との位置関係が安定し得る。これにより、太陽電池モジュールＭ１が保持部１，１Ｂ，１Ｃ，１Ｄによってより安定して保持されやすくなる。
【００７４】
＜２−６．第７実施形態＞
上記各実施形態において、例えば、上記クランプ受け部３，３Ａ，３Ｂの曲がり部分３２ｔ，３２ｔＡ，３２ｔＢが、湾曲することなく段階的に曲がっている状態で位置している曲がり部分であってもよい。図１７には、上記第１実施形態に係るクランプ受け部３を基本構成として、上記曲がり部分３２ｔが、曲がり部分３２ｔＦに変更された、クランプ受け部３Ｆの一例が示されている。ここでは、上記曲がり部分３２ｔが、ベース部２の被当接部分２ｈｔに向けて凸状となるように湾曲している状態で位置していたのに対して、曲がり部分３２ｔＦは、ベース部２の被当接部分２ｈｔに向けて凸状となるように段階的に曲がっている状態で位置している。ここで、段階的に曲がっている構成には、例えば、±Ｙ方向に平面視して、多角形状の外縁を有する構成が適用される。また、図１７の例では、上記第１曲がり部分３２ｔ１の代わりに、第１曲がり部分３２ｔ１Ｆが採用され、上記第２曲がり部分３２ｔ２の代わりに、第２曲がり部分３２ｔ２Ｆが採用されている。
【００７５】
＜３．その他＞
上記各実施形態では、例えば、各太陽電池モジュールＭ１は、前面Ｓｆ２を平面視した場合に、矩形状の外形を有していたが、これに限られない。例えば、各太陽電池モジュールＭ１は、前面Ｓｆ２を平面視した場合に、４つ以上の端面１Ｅを有していてもよい。例えば、各太陽電池モジュールＭ１は、前面Ｓｆ２を平面視した場合に、六角形状あるいは八角形状などの外形を有していてもよい。
【００７６】
上記各実施形態では、例えば、突出部分としての第３部分２３が、太陽電池モジュールＭ１の第２端面としての端面１Ｅ２に交差している方向（交差方向ともいう）に沿って位置していてもよい。また、突出部分２３は、例えば、板状の形状の代わりに、櫛歯状の形状を有していてもよい。
【００７７】
上記各実施形態では、例えば、基台部Ｂ１，Ｂ１Ｄは、柱状部材ではなく、ブロック状の部材（ブロック状部材ともいう）など、その他の形状を有する部材であってもよい。また、保持部１，１Ｂ，１Ｃ，１Ｄごとに、１つの基台部Ｂ１あるいは２つの基台部Ｂ１Ｄが位置することなく、２以上の保持部１，１Ｂ，１Ｃ，１Ｄに対して、１以上の基台部Ｂ１，Ｂ１Ｄが位置していてもよい。このような構成としては、例えば、複数の柱状部材あるいは複数のブロック状部材の上に架設されている状態で位置している梁部によって各保持部１，１Ｂ，１Ｃ，１Ｄが支持されている状態で位置している構成が考えられる。
【００７８】
上記第１実施形態から上記第５実施形態および上記第７実施形態では、例えば、太陽電池モジュールＭ１が、フレーム部Ｆ１を有していない、いわゆるフレームレスの構造を有するものであってもよい。
【００７９】
上記各実施形態では、例えば、連結部５，５Ｃは、ボルトＢＬ３とナットＮｕ３とを含む締結部材に限られず、スタッドボルトとナットとを含む締結部材などのその他の形態を有する締結部材であってもよい。また、例えば、連結部５は、締結式ではなく、かしめで連結する方式あるいはクリップで挟持する方式などのその他の方式で、クランプ受け部３，３Ａ，３Ｂとクランプ部４とを連結するものであってもよい。
【００８０】
上記各実施形態および各種変形例をそれぞれ構成する全部または一部を、適宜、矛盾しない範囲で組み合わせ可能であることは、言うまでもない。
【符号の説明】
【００８１】
１，１Ｂ，１Ｃ，１Ｄ  保持部
１Ｅ，１Ｅ１，１Ｅ２，１Ｅ３，１Ｅ４  端面
２，２Ｂ，２Ｄ  ベース部
２ｈｔ  被当接部分
３，３Ａ，３Ｂ，３Ｆ  クランプ受け部
４，４Ｃ  クランプ部
５，５Ｃ  連結部
２３  第３部分（突出部分）
３２，３２Ａ  当接部分
３２Ｂ  鉤状部分（当接部分）
３２ｔ，３２ｔＡ，３２ｔＢ，３２ｔＦ  曲がり部分
４２，４２Ｃ  押圧部分
１００，１００Ｄ  太陽電池装置
２３１  第３Ａ部分（第１突出部分）
２３２  第３Ｂ部分（第２突出部分）
４２１，４２１Ｃ  第１押圧部分
４２２，４２２Ｃ  第２押圧部分
Ｂ１，Ｂ１Ｄ，Ｂ１１Ｄ，Ｂ１２Ｄ  基台部
Ｃｎ１，Ｃｎ２  角部
Ｆ１  フレーム部
Ｆ１１，Ｆ１２，Ｆ１３，Ｆ１４  フレーム部分
Ｇ０  設置対象部
Ｍ１  太陽電池モジュール
Ｍ１１  第１太陽電池モジュール
Ｍ１２  第２太陽電池モジュール
Ｐ１Ｃ  凸状部分
Ｐ１１Ｃ  第１凸状部分
Ｐ１２Ｃ  第２凸状部分
Ｓｆ１  裏面
Ｓｆ２  前面
Ｓｆ１１  第１裏面
Ｓｆ１２  第２裏面
Ｓｆ２１  第１前面
Ｓｆ２２  第２前面
【図１】
2019068579.tif 000003
【図２】
2019068579.tif 000004
【図３】
2019068579.tif 000005
【図４】
2019068579.tif 000006
【図５】
2019068579.tif 000007
【図６】
2019068579.tif 000008
【図７】
2019068579.tif 000009
【図８】
2019068579.tif 000010
【図９】
2019068579.tif 000011
【図１０】
2019068579.tif 000012
【図１１】
2019068579.tif 000013
【図１２】
2019068579.tif 000014
【図１３】
2019068579.tif 000015
【図１４】
2019068579.tif 000016
【図１５】
2019068579.tif 000017
【図１６】
2019068579.tif 000018
【図１７】
2019068579.tif 000019